(57)【要約】【課題】  本発明によれば、洗い場床の耐久性向上および構造の簡素化が可能になる。【解決手段】  建築床上に設置された洗い場架台と、洗い場架台上に取り付けられ、平面視矩形状に形成された洗い場床と、洗い場床における一方の短辺部側の上方位置に配設された洗い場カウンターと、を備え、洗い場床は、洗い場カウンターの下方に位置する第１の領域と、洗い場カウンターの下方に位置しない第２の領域とを有し、洗い場架台は、第１の領域と第２の領域とを跨るように、間隔を空けて配設された一対のメインフレームと、第２の領域のみに配置され、一対のメインフレームの間に配設された補強フレームとを有することを特徴とする。【選択図】  図１
2010236324.tif 000002
【特許請求の範囲】
【請求項１】
建築床上に設置された洗い場架台と、
前記洗い場架台上に取り付けられ、平面視矩形状に形成された洗い場床と、
前記洗い場床における一方の短辺部側の上方位置に配設された洗い場カウンターと、を備えたユニットバスであって、
前記洗い場床は、前記洗い場カウンターの下方に位置する第１の領域と、前記洗い場カウンターの下方に位置しない第２の領域とを有し、
前記洗い場架台は、
前記第１の領域と前記第２の領域とを跨るように、間隔を空けて配設された一対のメインフレームと、
前記第２の領域のみに配置され、前記一対のメインフレームの間に配設された補強フレームとを有する
ことを特徴とする洗い場架台構造。
【請求項２】
前記補強フレームは、前記第２の領域のみを基準として、適正な位置に配設されていることを特徴とする請求項１記載の洗い場架台構造。
【請求項３】
前記補強フレームの両端面のそれぞれは、前記一対のメインフレームの対向面に対して接合した状態で固定されていることを特徴とする請求項１または２記載の洗い場架台構造。
【発明の詳細な説明】
【技術分野】
【０００１】
本発明は、ユニットバスに用いられる洗い場架台構造に関する。
【背景技術】
【０００２】
特許文献１には、建築床上に設置され、洗い場床を支持するための洗い場架台が開示されている。この洗い場架台は、複数の金属フレームを一体的に組み立てたものである。
【０００３】
また、洗い場床の上方に洗い場カウンターを配設したユニットバスがある。この洗い場カウンターを備えたユニットバスにおける洗い場架台は、図５に示すように、洗い場床の長辺方向に配設された一対のメインフレーム５０と、一対のメインフレーム５０間を繋ぐように配設された３本の補強フレーム６０と、によって構成されている。図５に示す第１の領域は、洗い場カウンターの下方に位置する洗い場領域を示し、第２の領域は洗い場カウンターの下方に位置しない領域を示している。一対のメインフレーム５０は第１の領域と第２の領域とを跨ぐように間隔を空けて平行に配設されており、３本の補強フレーム６０は一対のメインフレーム５０の両端およびその中央に配設されている。
【先行技術文献】
【特許文献】
【０００４】
【特許文献１】特開平１１−２１９６４号公報
【発明の概要】
【発明が解決しようとする課題】
【０００５】
図５に示す従来のユニットバスは、通常の使用では入浴者の荷重がかかりにくい第１の領域の有無を考慮せずに補強フレーム６０の配置を決めていた。つまり、洗い場床として大きな強度が必要でない領域（第１の領域）と、大きな強度が必要な領域（第２の領域）とに対して、同等の強度を付与していたため、補強フレーム６０を効率的に配置できていなかった。
【０００６】
本発明は、上述した従来の課題を解決するためになされたものであり、洗い場カウンターを備えるユニットバスの補強フレームの配置を適切にすることで、補強フレームの本数を削減し、且つ洗い場床の実使用において必要な領域の強度を高めることを目的とする。
【課題を解決するための手段】
【０００７】
上記の目的を達成するために、本発明は、
建築床上に設置された洗い場架台と、
前記洗い場架台上に取り付けられ、平面視矩形状に形成された洗い場床と、
前記洗い場床における一方の短辺部側の上方位置に配設された洗い場カウンターと、を備えたユニットバスであって、
前記洗い場床は、前記洗い場カウンターの下方に位置する第１の領域と、前記洗い場カウンターの下方に位置しない第２の領域とを有し、
前記洗い場架台は、前記第１の領域と前記第２の領域とを跨るように、間隔を空けて配設された一対のメインフレームと、
前記第２の領域のみに配置され、前記一対のメインフレームの間に配設された補強フレームとを有することを特徴とする洗い場架台構造を提供する。
【発明の効果】
【０００８】
本発明は、洗い場カウンターを備えるユニットバスの補強フレームの配置を適切にすることで、補強フレームの本数を削減し、且つ洗い場床の実使用において必要な領域の強度を高めることが可能な洗い場架台構造を提供する。
【図面の簡単な説明】
【０００９】
【図１】本発明のユニットバスを示す斜視図である。
【図２】本発明の洗い場床および洗い場架台を示す平面図である。
【図３】本発明の洗い場床および洗い場架台を示す断面図である。
【図４】本発明のメインフレームと補強フレームの接合部を示す拡大断面図である。
【図５】従来技術の洗い場床および洗い場架台を示す平面図である。。
【図６】従来技術のメインフレームと補強フレームの接合部を示す拡大断面図である。。
【発明を実施するための形態】
【００１０】
以下、添付図面を参照して本発明における洗い場架台構造を説明する。
【００１１】
図１は、本発明のユニットバスの斜視図である。また、図２は、本発明における洗い場床および洗い場架台を真裏から見た平面図であり、図３は、図２の断面図である。また、図４は、本発明のメインフレームと補強フレームの接合部を示す拡大断面図である。また、図５は、従来技術において図２と同様に表した平面図である。さらに、図６は、従来技術において図４と同様に表した拡大断面図である。
【００１２】
図１に示すように、本実施形態のユニットバス１は、建築床上に設置された洗い場架台３、洗い場架台３上に取り付けられ、平面視矩形状に形成された洗い場床２、洗い場床２における一方の短辺部側の上方位置に配設された洗い場カウンター４によって構成されている。
【００１３】
また、洗い場架台３と隣接するように建築床上に図示しない浴槽架台が設置されており、浴槽架台上に浴槽防水パンを介して浴槽９が設置されている。この浴槽架台は洗い場架台３に対して架台接続材を介して連結されている。洗い場床２および浴槽９の周縁部には、壁パネル１１が立設されており、洗い場床２側に立設される壁パネル１１に、洗い場カウンター４が取り付けられている。尚、洗い場カウンター４は、洗い場床２上から間隔を空けて配置されているため、洗い場床を広く使用することができる。
【００１４】
さらに、図２に示すように、洗い場床２は、洗い場カウンター４の下方に位置する第１の領域と、洗い場カウンター４の下方に位置しない第２の領域に分けられる。第１の領域は、洗い場床２上を歩く入浴者の全体重が通常はかからない領域である。これは、第１の領域の上方には、洗い場カウンター４が存在しているためであり、洗い場カウンター４が障害となって、通常は使用者が第１の領域上を歩くことができない。一方、第２の領域は、上方に洗い場カウンター４が存在しないため、入浴者は自由に歩くことができる。よって、第２の領域は入浴者の全体重が通常使用でかかる領域である。尚、第１の領域は風呂いすに座った状態で、入浴者の足を入れることはできるが、このような使い方の場合、第１の領域には体重のほんの一部しかかからない。
【００１５】
補強フレーム３は、一対のメインフレーム５と、２本の補強フレーム６を備える。一対のメインフレーム５は、洗い場床２裏面に対して水平状に間隔を空けて平行に配設されている。このメインフレーム５は第１の領域と第２の領域を跨るように配設されている。また、メインフレーム５の両端には、図３に示すように鉛直フレーム１０が取り付けられており、鉛直フレームには高さ調整可能な支持脚ボルト１２が付設されている。
【００１６】
２本の補強フレーム６は、いずれも第２の領域に配設されており、前述した一対のメインフレーム５の間に取付材７とボルトによって接合されている。補強フレーム６の長さは、一対のメインフレーム５間の距離と略同一となる大きさに形成されており、補強フレーム６は、一対のメインフレーム５と隙間なく嵌まるようになっている。この補強フレーム６を設けることで、洗い場床２の強度を高めることができ、洗い場床２上面側に、大きな荷重が加わった場合であっても、洗い場床２の撓み量を小さくし、洗い場床２にクラックが入りにくくすることができる。
【００１７】
次に、図２と図５を比較して、本発明と従来例との対比説明を行う。
【００１８】
図５に示す従来の洗い場架台３０の補強フレームは、それぞれ両端部とその中央に架けられ、合計３本備えることで洗い場床２０に強度を持たせていた。具体的には、第１の領域に１本の補強フレーム６０が架けられ、第２の領域に２本の補強フレーム６０が架けられており、各補強フレーム６０の間隔はＬであった。従来の補強フレーム６０は、洗い場床２０として大きな強度が必要でない領域（第１の領域）と、大きな強度が必要な領域（第２の領域）とに対して、同等の強度を付与していたため、補強フレーム６０を３本配設して、洗い場床２０全体に強度を持たせていた。
【００１９】
一方、図２に示す本発明の洗い場架台３は、２本の補強フレーム６で、図５に示す従来の洗い場架台３０と同等以上の強度を持たせている。２本の補強フレーム６は、それぞれ第２の領域に配置されており、具体的には、第２の領域を３等分するように配設されている。つまり、第１の領域には、補強フレーム６が配設されておらず、第１の領域は通常の使用では入浴者の荷重がかかりにくい領域であることを考慮して補強フレーム６の配設位置を決めている。つまり、洗い場床２として大きな強度が必要な領域（第２の領域）に対してのみ、補強フレーム６を配置している。特に、メインフレーム５の一端部から１つの補強フレーム６までの間隔αと、２つの補強間６の間隔βと、第１の領域と第２の領域の境界から補強フレーム６までの間隔γは、それぞれ図５の間隔Ｌよりも小さく配置されている。補強フレーム６の間隔を狭めることで、図５よりも洗い場床２の強度を高めることができる。尚、両端部に位置する間隔αおよび間隔γは、中央に位置する間隔βよりも小さい方が好ましい。これは、間隔αの領域は出入り口部に面する部分であり、間隔γの領域は、洗い場カウンター４前で入浴者がシャワーを浴びたり作業する領域であるため、間隔βの領域に比べて洗い場床２が撓みやすい領域であるためである。このように第２の領域の端部側を、中央側よりも強度が高くなるように補強フレーム６を配設している。
【００２０】
次に、メインフレーム５に対する補強フレーム６の接合方法について、図４と図６を比較して、本発明と従来例との対比説明を行う。
【００２１】
図６（ａ）に示す従来の洗い場架台３０のメインフレームおよび補強フレーム６０は、ロールフォーミング加工により断面視四角状に形成されている。補強フレーム６０の両端部の下面からは溶接などに突出部が形成されており、突出部とメインフレーム５０とをボルト固定することで、補強フレーム６０をメインフレーム５０に対して固定していた。しかしながら、補強フレーム６０の両端面と、対向するメインフレーム５０の側面との間には、隙間が空いていたため、洗い場架台３０に対して横方向の大きな揺れが作用した場合には、図６（ｂ）に示すようにメインフレーム５０が歪むおそれがあり、耐震強度を高めるために別に補強部材を設ける必要があった。この補強部材とは、図示しないが、メインフレーム５０に取り付けられる一対の鉛直フレーム同士を繋ぐつなぎ材のことである。
【００２２】
一方、図４に示す本発明の洗い場架台３は、洗い場架台３のメインフレーム５および補強フレーム６は、従来と同じくロールフォーミング加工により断面視四角状に形成されている。しかしながら、補強フレーム６の両端面と、対向するメインフレーム５の側面との間には隙間が空かないように、当接した状態で取り付けられている点で従来と相違する。このように補強フレームがメインフレームに対して当接した状態で、Ｌ字状に形成された取付部材７を補強フレーム６の側面と、メインフレーム５の側面に対してボルト固定している。このようにすることで、洗い場架台３に対して横方向の大きな揺れが作用した場合であっても一対のメインフレーム５の間に補強フレーム６が接合するように配設されているため、別の補強部材を設けることなく耐震強度を高めることができる。
【符号の説明】
【００２３】
１…ユニットバス、２…洗い場床、３…支持架台、４…洗い場カウンター、５…メインフレーム、６…補強フレーム、７…取付材  
【図１】
2010236324.tif 000003
【図２】
2010236324.tif 000004
【図３】
2010236324.tif 000005
【図４】
2010236324.tif 000006
【図５】
2010236324.tif 000007
【図６】
2010236324.tif 000008